(57)【特許請求の範囲】
【請求項１】
視力訓練装置であって、
前記視力訓練装置を装着する使用者の眼球に対応するように位置づけられた少なくとも一つの接眼孔を有する本体であって、視線方向が前記接眼孔と交差するように定義される、本体と、
それぞれ互いに異なるジオプター値を有する複数のレンズ、および、前記複数のレンズを支持するレンズ支持体を有する、レンズユニットと、
前記レンズユニットの前記複数のレンズの一つが視線方向内に配置されるように前記レンズ支持体を移動させるように構成された駆動モータと、
前記駆動モータを制御して前記複数のレンズの中で選択されたテストレンズが視線方向内に配置されるようにし、前記テストレンズに対して前記テストレンズが視線方向内に配置された時点から前記眼球が正視眼状態になる時までの適応時間を保存するように構成された制御部と、を含み、
前記適応時間は、該当レンズを視線方向内に配置するための訓練時間を設定するために使用される、視力訓練装置。
【請求項２】
前記レンズ支持体は回転軸によって前記本体に回転可能に結合され、前記複数のレンズは前記レンズ支持体の円周に沿って角度間隔を隔てて前記レンズ支持体に配置される、請求項１に記載の視力訓練装置。
【請求項３】
前記制御部は使用者入力部に入力された適応確認入力に応じて前記テストレンズに対する適応時間を保存するように構成される、請求項１または２に記載の視力訓練装置。
【請求項４】
前記使用者の眼球の正視眼状態を検出するように構成されたセンサモジュールをさらに含み、
前記制御部は前記センサモジュールから入力される適応確認入力に応じて前記テストレンズに対する使用者の適応時間を保存するように構成される、請求項１または２に記載の視力訓練装置。
【請求項５】
前記複数のレンズはそれぞれ同じジオプター間隔を隔てて段階的に変化するジオプター値を有し、
前記制御部は隣接レンズからジオプター上向き移動時の適応時間とジオプター下向き移動時の適応時間とを測定して保存するように構成される、請求項１〜４のいずれか一項に記載の視力訓練装置。
【請求項６】
訓練モード選択部を有する使用者入力部をさらに含み、
前記制御部は前記複数のレンズのそれぞれについて保存された適応時間に基づいて前記適応時間と同一またはほぼ同一の訓練時間を各レンズについて設定し、前記使用者入力部を通じて訓練モードが選択された場合、訓練時間の間、該当レンズのそれぞれを視線方向内に配置するように構成される、請求項１〜５のいずれか一項に記載の視力訓練装置。
【請求項７】
前記訓練モードにおいて、前記複数のレンズに対してそれぞれの訓練時間の間、前記複数のレンズの一つが視線方向内に配置された後、前記制御部が、視線方向内に配置された前記複数のレンズの一つを変更するように構成される、請求項６に記載の視力訓練装置。
【請求項８】
前記訓練モードで動作中、前記使用者入力部を通じて適応確認入力が入力される場合、前記制御部は、該当レンズのそれぞれ一つのために使用者の適応時間を保存するように構成される、請求項６または７に記載の視力訓練装置。
【請求項９】
複数のレンズの少なくとも一つが選択されて使用者の視線に沿って配置され、前記複数のレンズがそれぞれ異なるジオプター値を有し、視線方向が前記使用者の前記視線に対応するように定義されるように構成された、視力訓練デバイスにより実行される視力訓練方法であって、
前記視力訓練デバイスの制御部が、前記複数のレンズからテストレンズを選択し、前記テストレンズを視線方向内に配置する段階と、
前記制御部が、前記テストレンズに対して前記テストレンズが視線方向内に配置された時点から眼球が正視眼状態になる時までの時間を示す適応時間を非一時的コンピュータ可読メモリに保存する段階とを含み、
前記適応時間は、該当レンズを視線方向内に配置するための訓練時間を設定するために使用される、視力訓練方法。
【請求項１０】
前記制御部が、前記テストレンズが前記複数のレンズから選択されて視線方向内に配置されるように駆動モータを駆動する段階をさらに含む、請求項９に記載の視力訓練方法。
【請求項１１】
前記駆動する段階において、前記駆動モータが、回転軸についてレンズ支持体を回転させることを含み、前記複数のレンズは、前記レンズ支持体の円周に沿って角度間隔を隔てて前記レンズ支持体に配置される、請求項１０に記載の視力訓練方法。
【請求項１２】
前記保存する段階において、前記制御部が、使用者入力部に入力される適応確認入力に応じて前記テストレンズのための適応時間を保存することを含む、請求項９〜１１のいずれか一項に記載の視力訓練方法。
【請求項１３】
前記保存する段階において、前記制御部が、センサモジュールからの適応確認入力に応じて前記テストレンズのための適応時間を保存することを含む、請求項９〜１１のいずれか一項に記載の視力訓練方法。
【請求項１４】
前記複数のレンズがそれぞれ同じジオプター間隔を隔てて段階的に変化するジオプター値を有し、
前記制御部が、隣接レンズからジオプター上向き移動時の適応時間とジオプター下向き移動時の適応時間とを測定し保存することを含む、請求項９〜１３のいずれか一項に記載の視力訓練方法。
【請求項１５】
前記複数のレンズのそれぞれのための保存された適応時間に基づいて各レンズに前記適応時間と同一またはほぼ同一の訓練時間を設定する段階と、
訓練モードが使用者入力部を通じて選択される場合、前記訓練時間の間、視線方向内に前記複数のレンズのそれぞれを位置づける段階とをさらに含む、請求項９〜１４のいずれか一項に記載の視力訓練方法。
【請求項１６】
前記訓練モードにおいて、前記複数のレンズの一つが前記複数のレンズのそれぞれのための前記訓練時間の間、視線方向内に配置された後、前記制御部が、視線方向内に配置された前記複数のレンズの一つを変更する段階をさらに含む、請求項１５に記載の視力訓練方法。
【請求項１７】
前記訓練モードで動作中、前記使用者入力部を通じて適応確認入力が入力される場合、前記制御部が、該当レンズのそれぞれ一つのために前記使用者の適応時間を保存する段階をさらに含む、請求項１５または１６に記載の視力訓練方法。
【発明の詳細な説明】
【技術分野】
【０００１】
本発明は視力訓練装置に関するものである。
【背景技術】
【０００２】
ヒトの視力に影響を及ぼす眼球筋肉の中に水晶体調節筋は不随意筋でヒトの意志によって人為的な調節が不可能である。このような水晶体調節筋は互いに異なるジオプターを有するレンズを通して事物を繰り返し的に認識する視力改善訓練を通じてその筋力が強化されることができるものと知られている。このような訓練のために眼球の前に配置されるレンズのジオプターを機械的な方式で自動で変更する視力訓練装置が公開されている。
【０００３】
このような従来の視力訓練装置は予め設定された時間を周期で使用者の眼球の前に異なるジオプターのレンズを交替して配置する方式を使用した。ところが使用者によって変更されたレンズに対する適応時間が異なったにもかかわらず、任意に設定された訓練時間が差別なく適用されるので、使用者によって交替周期の速さ及び遅さのせいで不便を体験したり訓練効果を満足に収めることができない場合が多かった。一方、交替されたレンズに対する適応時間は使用者個人の適応的視力特性、即ち、水晶体調節筋の反応度を意味するので、その現況と変化推移は視力訓練及びその成果と関連して重要に扱われなければならない要素であるのに重要に扱われなかった。
【発明の概要】
【発明が解決しようとする課題】
【０００４】
したがって、本発明の目的は使用者の適応的視力特性を測定及び管理することができる視力訓練装置を提供するのにある。
【０００５】
また、本発明の他の目的は測定された使用者の適応的視力特性を反映した視力訓練を提供することができる視力訓練装置を提供するのにある。
【課題を解決するための手段】
【０００６】
前述した目的は視力訓練装置であって、視力訓練装置を装着する使用者の眼球に対応するように位置づけられた少なくとも一つの接眼孔を有する本体であって、視線方向が接眼孔と交差するように定義される、本体と、それぞれ互いに異なるジオプター値を有する複数のレンズ、および、レンズを支持するレンズ支持体を有する、レンズユニットと、レンズユニットのレンズの一つが視線方向内に配置されるようにレンズ支持体を移動させるように構成された駆動モータと、駆動モータを制御して複数のレンズの中で選択されたテストレンズが視線方向内に配置されるようにし、テストレンズに対して眼球が正視眼状態になる時までの適応時間を保存するように構成された制御部を含む、視力訓練装置によって達成される。
【０００７】
レンズ支持体が回転軸によって本体に回転可能に結合され、レンズはレンズ支持体の円周に沿って角度間隔を隔ててレンズ支持体に配置される場合、比較的簡単な構造でレンズを交替駆動することができる。
【０００８】
制御部は使用者入力部に入力された適応確認入力に応じてテストレンズに対する適応時間を保存するように構成されることができる。
【０００９】
視力訓練装置が使用者の眼球の正視眼状態を検出するように構成されたセンサモジュールをさらに含み、制御部はセンサモジュールから入力される適応確認入力に応じてテストレンズに対する使用者の適応時間を保存するように構成される場合、使用者の適応的視力特性をより便利に測定することができる。
【００１０】
複数のレンズはそれぞれ同じジオプター間隔を隔てて段階的に変化するジオプター値を有し、制御部が隣接レンズからジオプター上向き移動時の適応時間とジオプター下向き移動時の適応時間とを測定して保存するように構成される場合、レンズの交替方向を考慮した使用者の適応的視力特性を測定してより正確な視力特性の測定が可能である。
【００１１】
視力訓練装置は訓練モード選択部を有する使用者入力部をさらに含み、制御部はレンズのそれぞれのための保存された適応時間に少なくとも部分的に基づいて各レンズに関連する訓練時間を設定し、使用者入力部を通じて訓練モードが選択された場合、訓練時間の間、該当レンズのそれぞれを視線方向内に配置するように構成される視力訓練を通じて使用者の適応的視力特性を考慮した視力訓練が可能である。
視力訓練装置は、訓練モードにおいて、複数のレンズに対してそれぞれの訓練時間の間、レンズが視線方向内に配置された後、制御部が、視線方向内に配置されたレンズを変更するように構成されることができる。
【００１２】
訓練モードで動作中、使用者入力部を通じて適応確認入力が入力される場合、制御部は、該当レンズのそれぞれ一つのために使用者の適応時間を保存するように構成されて、訓練によって向上した使用者の適応的視力特性を反映した視力訓練が可能であって視力訓練の効果を極大化することができる。
【００１３】
前述した目的はまた、視力訓練方法であって、複数のレンズの少なくとも一つが選択されて使用者の視線に沿って配置され、複数のレンズがそれぞれ異なるジオプター値を有し、および、視軸の線視線方向が使用者の視線に対応するように定義されるように構成された、視力訓練デバイスを提供する段階と、複数のレンズからテストレンズを選択し、テストレンズを視軸の線上視線方向内に配置する段階と、テストレンズに対して眼球が正視眼状態になる時までの時間を示す適応時間を非一時的コンピュータ可読メモリに保存する段階とを含む、視力訓練方法によって達成される。
視力訓練方法は、テストレンズが複数のレンズから選択されて視軸の線上視線方向内に配置されるように駆動モータを駆動する段階をさらに含むことができる。
視力訓練方法は、駆動する段階が、回転軸についてレンズ支持体を回転させることを含み、レンズは、レンズ支持体の円周に沿って角度間隔を隔ててレンズ支持体に配置されることができる。
視力訓練方法は、保存する段階が、使用者入力部に入力される適応確認入力に応じてテストレンズのための適応時間を保存することを含むことができる。
視力訓練方法は、保存する段階が、センサモジュールからの適応確認入力に応じてテストレンズのための適応時間を保存することを含むことができる。
視力訓練方法は、複数のレンズがそれぞれ同じジオプター間隔を隔てて段階的に変化するジオプター値を有し、および、隣接レンズからジオプター上向き移動時の適応時間とジオプター下向き移動時の適応時間とを測定し保存することを含むことができる。
視力訓練方法は、レンズのそれぞれのための保存された適応時間に少なくとも部分的に基づいて各レンズに関連する訓練時間を設定する段階と、訓練モードが使用者入力部を通じて選択される場合、訓練時間の間、視軸の線上視線方向内にレンズのそれぞれを位置づける段階とをさらに含むことができる。
視力訓練方法は、訓練モードにおいて、レンズが複数のレンズのそれぞれのための訓練時間のために視軸の線上視線方向内に配置された後、視軸の線上視線方向内に配置されたレンズを変更する段階をさらに含むことができる。
視力訓練方法は、訓練モードで動作中、使用者入力部を通じて適応確認入力が入力される場合、該当レンズのそれぞれ一つのために使用者の適応時間を保存する段階をさらに含むことができる。
【００１４】
（発明の効果）
本発明の実施形態によると、使用者の視力特性を考慮したパーソナライズ型視力訓練を提供することによって、視力訓練を通じて視力をより効果的に改善することができる。
【図面の簡単な説明】
【００１５】
【図１】図１は本発明の実施例による視力訓練装置の上部カバーが除去された状態の組立斜視図である。
【００１６】
【図２】図２は図１の視力訓練装置の分解斜視図である。
【００１７】
【図３】図３は本発明の実施例による視力訓練装置の制御ブロック図である。
【００１８】
【図４】図４は本発明の実施例による視力訓練装置を利用した測定モード動作を例示的に示す順序図である。
【００１９】
【図５】図５は測定モード動作を説明するための参考図である。
【００２０】
【図６】図６は本発明の実施例による視力訓練装置を利用した訓練モード動作を例示的に示す順序図である。
【００２１】
【図７】図７はスライディング方式で具現されたレンズ支持体を示す正面図である。
【発明を実施するための形態】
【００２２】
以下、添付された図面を参照して本発明の実施例について詳細に説明する。
【００２３】
図１は本発明の実施例による視力訓練装置の上部カバーが除去された状態の組立斜視図であり、図２は図１の視力訓練装置の分解斜視図である。図１を参照すると、本発明の実施例による視力訓練装置は本体（１００）、本体（１００）が顔面に支持されることができるように本体（１００）を頭に支持する支持脚（２００）、及び本体（１００）の前面に結合される前面カバー（３００）を有する。前面カバー（３００）には使用者入力部（７００）が位置して使用者から多様な使用者入力の入力を受ける。本体（１００）と前面カバー（３００）の間には複数のレンズが設置された一対のレンズユニット（４１０、４２０）と駆動支持部（５００）が設置される。使用者は支持脚（２００）を利用して視力訓練装置を眼鏡のように使用者の顔面に着用することができる。
【００２４】
本体（１００）は使用者の目の周囲と接触する曲面形状の顔面支持部（１１０）、顔面支持部（１１０）を貫通して形成された一対の接眼孔（１２０）、使用者の鼻を収容する鼻収容部（１３０）、本体（１００）の下部を覆う下部カバー（１４０）、及び本体（１００）の前面から突出形成されて前面カバー（３００）と結合される前面カバー結合部（１５０）を有する。
【００２５】
顔面支持部（１１０）は本体（１００）の後面に形成される。顔面支持部（１１０）は使用者が視力訓練装置を着用時、使用者の顔面に安らかに密着されるために本体（１００）の後面から前面方向に湾曲された形状である。
【００２６】
接眼孔（１２０）は顔面支持部（１１０）を貫通して形成された一対の開口である。接眼孔（１２０）には使用者が視力訓練装置を着用時、使用者の眼球が位置するようになる。接眼孔（１２０）は円形または横方向に長い楕円形に形成されることができる。
【００２７】
下部カバー（１４０）は本体（１００）の前面から突出形成された不透明の板形状で前面カバー（３００）と結合するための前面カバー結合部（１５０）が上面に形成される。
【００２８】
支持脚（２００）は眼鏡の蔓形状で本体（１００）の後方に設置されるが、視力訓練装置の着用状態を支持することができるストラップまたはバンド等に代替されることができる。
【００２９】
レンズ組立体（４００）は一対のレンズユニット（４１０、４２０）及び各レンズユニット（４１０、４２０）の回転軸を支持する一対の軸支持部（４３０、４４０）を有する。また、レンズ組立体（４００）は一対のレンズユニット（４１０、４２０）の間の間隔を調節するための間隔調節部（４５０）を有する。一対のレンズユニット（４１０、４２０）と一対の軸支持部（４３０、４４０）のそれぞれは互いに同一の構成であるので説明を明確かつ簡潔にするために一対の構成のうちいずれか一つの構成についてのみ説明することにする。
【００３０】
レンズユニット（４２０）は複数のレンズ取り付け孔が放射状に形成された円形のレンズ支持体を有する。各レンズ取り付け孔には複数のレンズが取り付けられる。
レンズは互いに異なるジオプター値を有するレンズで構成される。例えば、レンズは−２、−１、０、＋１、＋２の順次的に変化されるジオプター値を有することができる。レンズはソフトレンズまたはハードレンズであり得る。レンズは互いに異なるカラーを有するカラーレンズであり得る。レンズは他の目的のためのレンズ、例えば、使用者の視線遮断の遮断用レンズ、偏光レンズ、カラーフィルタ等が追加されることができる。
【００３１】
レンズユニット（４１０）は駆動モータ（６００）の駆動によって回転して使用者の視線方向内に配置されたいずれか一つのレンズをそのレンズと異なるジオプター値を有する他のレンズに変更する。
【００３２】
軸支持部（４４０）はレンズユニット（４２０）の回転軸を支持する。軸支持部（４４０）はレンズユニット（４２０）の両方面の一部領域を取り囲む前面及び後面を有する。軸支持部（４４０）の前面及び後面には第１開口（４４２）及び第２開口（未図示）が形成される。第１開口（４４２）及び第２開口（未図示）は接眼ホール（１２０）を通じた使用者の視線方向内に位置するように軸支持部（４４０）に形成される。
【００３３】
間隔調節部（４５０）は一対のレンズユニット（４１０、４２０）から相互対面する方向に延長された一対のラック（４５２、４５４）、一対のラック（４５２、４５４）と同時に噛み込むピニオン（４５６）、及びピニオン（４５６）を回転駆動するダイヤル（４５８）を有する。
間隔調節部（４５０）は使用者毎に互いに異なる眼球間の距離に対応して一対のレンズユニット（４１０、４２０）の間の間隔を調整する。使用者はダイヤル（４５８）を回転させて自分の眼球間距離に合わせて一対のレンズユニット（４１０、４２０）の間の距離を調節することができる。一対のレンズユニット（４１０、４２０）の間の間隔調節はモータ駆動手段を利用してピニオン（４６０）を電動で回転駆動して具現されることができる。
【００３４】
駆動モータ（６００）は制御部（８００）の制御に応答してレンズユニット（４１０、４２０）を回転駆動する。レンズユニット（４１０、４２０）の回転駆動によって使用者の視線方向に位置するいずれか一つのレンズが異なるジオプター値を有するレンズに変更される。
駆動モータ（６００）はＤＣモータで具現されるがこれに限定されず、レンズユニット（４１０、４２０）を一定の回転角度で回転させることができる他のモータで具現されることができる。
【００３５】
駆動支持部（５００）にはレンズユニット（４１０、４２０）を回転駆動する駆動モータ（６００）が設置される。駆動支持部（５００）は駆動モータ（６００）を収容する駆動モータ結合溝（５１０）と軸支持部（４４０）の第１開口（４４２）と同一線上に位置する第３開口（５２０）を有する。
【００３６】
例えば、図１及び図２で本発明の実施例による視力訓練装置は一対のレンズユニットを有するものと図示されたが、一つのレンズユニットだけで具現されることもできる。視力訓練装置が一つのレンズユニットだけで具現される場合、使用者は一つのレンズユニットを利用して左眼と右眼のそれぞれに対して視力特性の測定及び視力訓練を行うはずである。
【００３７】
図３は本発明の実施例による視力訓練装置の制御ブロック図である。
【００３８】
使用者入力部（７００）は視力訓練装置の前面カバー（３００）の一側面に提供される。使用者入力部（７００）は複数の使用者入力用ボタン（７１０、７２０、７３０、７４０、７５０、７６０）を有する。ボタンは具体的に電源入力ボタン（７１０）、使用者選択ボタン（７２０）、上向き移動ボタン（７３０）と下向き移動ボタン（７４０）、測定モード選択ボタン（７５０）及び訓練モード選択ボタン（７６０）からなっている。使用者入力部（７００）を通じて入力された使用者入力は制御部（８００）が受領して該当使用者入力に対する動作を行うように視力訓練装置を制御する。このようなボタン形態の使用者入力部（７００）はキーパッド、タッチスクリーン等に代替されることができる。図示された実施例で使用者入力部（７００）は視力訓練装置に付着されているが、有線あるいは無線のリモコンで具現されたり、スマートフォン等のようなモバイル機器のアプリによって代替されることもできる。使用者入力部（７００）はマイクを使用して音声認識方式で具現されることができる。
【００３９】
通信部（９００）はスマートフォン、タブレットＰＣ、使用者サーバー等のような外部装置と有線または無線で通信する。通信部（９００）を通じて視力訓練装置は外部装置にデータを伝送したり外部装置からデータの伝送を受けることができる。
【００４０】
メモリー（１０００）は使用者情報、視力データ、訓練データ、及び視力訓練装置の動作に必要な各種データを保存する。メモリー（１０００）は制御部（８００）の制御によって保存されたデータを制御部（８００）や通信部（９００）等に伝送したりまたは伝送されたデータを保存する。
【００４１】
センサモジュール（１１００）は使用者の眼球に向かって赤外線を出力して眼球から反射された赤外線を受領することができる本体（１００）内の所定の位置に設置される。センサモジュール（１１００）は使用者の眼球が正視眼状態にあるかを確認する。センサモジュール（１１００）は使用者の眼球が正視眼状態から非正視眼状態にまたは非正視眼状態から正視眼状態に変わるかを確認する。このようなセンサモジュール（１１００）は一般的に使用される自動屈折検査器の検査原理と同一のメカニズムで具現される。例えば、センサモジュール（１１００）は赤外線光を使用者の眼球に向かって出力する光出力部、使用者の眼球から反射される反射光を探知する光探知部、及び探知された反射光の焦点距離を計算してこれを利用して眼球に向かって出力された赤外線が眼球内で焦点が結ばれる位置を計算する屈折確認部を含む。センサモジュール（１１００）は眼球に向かって出力された赤外線の焦点が網膜に結ばれる場合、使用者の眼球が正視眼状態にあると判断する。
センサモジュール（１１００）は使用者の眼球が正視眼状態にあると判断される場合、適応確認信号を制御部（８００）に伝送する。センサモジュール（１１００）は使用者の眼球の状態が正視眼から非正視眼または非正視眼から正視眼に変更される場合、視認度臨界確認入力を制御部（８００）に伝送する。
【００４２】
制御部（８００）は駆動モータ（６００）を設定された時間毎に回転駆動するように制御する。制御部（８００）は駆動モータ（６００）によって回転されるレンズユニット（４１０、４２０）の回転角度を調整することができる。制御部（８００）はレンズユニット（４１０、４２０）に使用者の視線方向内に位置したいずれか一つのレンズが異なるジオプターを有するレンズに変更されるようにレンズユニット（４１０、４２０）を設定された回転角度で回転させる。制御部（８００）は駆動モータ（６００）の回転方向を変更することができる。
【００４３】
図４は本発明の実施例による視力訓練装置を利用した測定モード動作を例示的に示す順序図であり、図５は測定モード動作を説明するための参考図である。以下、図４及び図５を参照して本発明の実施例による視力訓練装置を利用した測定モード動作を説明する。
【００４４】
まず、使用者は使用者入力部（７００）の電源入力ボタン（７１０）を押して視力訓練装置に電源を印加する。使用者は視力訓練装置を着用した後、使用者入力部（７００）の測定モード選択ボタン（７５０）を押して測定モードを選択する（Ｓ１１０）。この時、視力訓練装置の前方には使用者が認識することができるターゲットイメージが配置される。ターゲットイメージは所定の距離、例えば、３０から４０ｃｍの距離を置いて存在する周辺の事物であるかスマートフォン等のディスプレイに表示されたイメージであり得る。あるいは視力訓練装置に内蔵されるディスプレイを通じて提供されることもできる。ここで、遮断レンズ（４１９）は使用者の視線を遮断するためのものであって、使用者の視線内に位置する場合、該当眼球はターゲットイメージを認識することができない視野遮断状態に置かれるようになる。このような遮断レンズ（４１９）は両眼ではない単眼に対する測定及び訓練動作時に使用される。
【００４５】
通常的に使用者は矯正眼状態で視力訓練装置を使用するので、０のジオプターを有する基本レンズ（４１５）が使用者の視線に配置される。万一、使用者が矯正眼ではない状態で視力訓練装置を使用する場合、使用者は使用者入力部（７００）の上向き移動ボタン（７３０）または下向き移動ボタン（７４０）を押して視線に配置される任意のレンズを選択することができる。または、測定された適応時間が既に存在する場合、制御部（８００）は適応時間が最も短いレンズを使用者の視線内に配置されるレンズに選択することができる。これは、適応時間が短いレンズは使用者の視力に最も近接したジオプターのレンズであるためである。
【００４６】
使用者が基本レンズ（４１５）を通してターゲットイメージを認識する場合、使用者はターゲットイメージを鮮明に認識する明視状態、即ち、正視眼状態であるはずである。このような正視眼状態で使用者が使用者選択ボタン（７２０）を押したりまたは上下移動ボタン（７３０、７４０）を押すと基本レンズ（４１５）は第１テストレンズ（４１７）に交替される。即ち、制御部（８００）は測定モード動作を行う第１テストレンズ（４１７）を使用者の視線に露出させる（Ｓ１２０）。これにより、使用者の視線に適応されないレンズが配置されるので使用者はターゲットイメージを鮮明に認識することができない。即ち、使用者の眼球は非正視眼状態である。
【００４７】
制御部（８００）は使用者入力部（７００）を通じて適応確認入力が入力されるかを確認する（Ｓ１３０）。このような適応確認入力は使用者がテストレンズを通して認識されるターゲットイメージが鮮明になったことを示す信号である。即ち、使用者の眼球が正視眼状態にあることを示す信号である。
【００４８】
適応確認入力は使用者入力部（７００）を通じて入力したりまたはセンサモジュール（１１００）を通じて選択的に入力されることができる。
【００４９】
使用者入力部（７００）を通じて入力される場合、使用者は第１テストレンズ（４１７）を通して認識されるターゲットイメージが鮮明になる瞬間、使用者入力部（７００）の使用者選択ボタン（７２０）を押すことによって、適応確認入力を入力する。センサモジュール（１１００）を通じて入力される場合、センサモジュール（１１００）は設定された周期毎に繰り返し的に使用者の眼球の正視眼状態を確認し、使用者の眼球が正視眼状態の場合、制御部（８００）に適応確認入力を伝送する。
【００５０】
制御部（８００）が適応確認入力の提供を受けた場合、使用者の視線に第１テストレンズ（４１７）を位置させた時点から該当適応確認入力が入力された時点までの時間を第１テストレンズ（４１７）に対する適応時間（ｔ１）に保存する。
【００５１】
このような測定モードはレンズユニット（４２０）に取り付けられたレンズのそれぞれに対して行われる。各レンズに対する適応時間はレンズの交替方向によって区分されて測定される。例えば、第１テストレンズ（４１７）に対する適応時間測定時、基本レンズ（４１５）から第１テストレンズ（４１７）に交替される場合の適応時間（ｔ１）と第２テストレンズ（４１８）から第１テストレンズ（４１７）に交替される場合の適応時間（ｔ２）がそれぞれ測定される。これは、同一のジオプター値を有する第１テストレンズ（４１７）に対する適応時間であるが、第１テストレンズ（４１７）を通してターゲットイメージを認識する前に使用者が既に認識していたレンズのジオプター値によってその適応時間が異なり得るためである。
【００５２】
測定された各レンズ（４１５、４１６、４１７、４１８）に対する適応時間（ｔ１、ｔ２、ｔ３、ｔ４、ｔ５、ｔ６）はメモリー（１０００）に保存されて以後訓練時間設定のための資料として利用される。
【００５３】
前述した測定モードは使用者のレンズに対する適応度も測定するモードであり、このようなレンズに対する適応度は使用者の調節力の程度と関連して使用者の視力を評価するための重要なパラメーターとして使用されることができる。また、このような測定モードを通じて使用者の視力特性を把握して把握された視力特性を考慮したパーソナライズ型視力訓練を提供することによって、視力改善の効果が極大化されることができる。
【００５４】
図６は本発明の実施例による視力訓練装置を利用した訓練モード動作を例示的に示す順序図である。
【００５５】
使用者は使用者入力部（７００）の電源入力ボタン（７１０）を押して視力訓練装置に電源を印加する。以後、使用者は視力訓練装置を着用した後、使用者入力部（７００）の訓練モード選択ボタン（７６０）を押して訓練モードを選択する。
【００５６】
訓練モードが選択されると、制御部（８００）はメモリー（１０００）に保存された適応時間を反映して各レンズに対する訓練時間が設定され（Ｓ２１０）、訓練モードが開始される（Ｓ２２０）。訓練時間は選択されたレンズが使用者の視線に露出が持続されている時間を意味する。最初の訓練時間は保存された適応時間と同一であるかそれより多少長いか短く設定されることができる。以後、使用者が視力訓練を繰り返し的に行うことによって適応時間が短縮されるものであるので次第に訓練時間は短縮されるはずである。これは視力訓練の繰り返しによって使用者の視力が改善されることを考慮して視力訓練の効果をより極大化するためである。
【００５７】
使用者が電源をつけて訓練モードを選択すると、制御部（８００）は駆動モータ（６００）を制御して複数のレンズのうち選択された一番目のレンズを使用者の眼球の視線内に配置して使用者の視線に露出させる（Ｓ２３０）。この一番目のレンズは使用者が設定されたか制御部によって任意に選択されたものであり得る。好ましくは適応時間あるいは訓練時間が最も短いレンズが一番目の訓練対象レンズに選択される。適応時間等が短いレンズは使用者の視力に最も近接したジオプターのレンズとして使用者の安らかな適応を誘導して訓練効果を極大化させることができる。
【００５８】
一番目のレンズに対して設定された訓練時間が徒過すると（Ｓ２４０）、次の訓練のために予め設定されたレンズが存在するかを確認する（Ｓ２５０）。次の訓練のために予め設定されたレンズが存在すると、一番目の訓練対象レンズに選択されたレンズを次の訓練のために設定されたレンズに交替する（Ｓ２６０）。
【００５９】
交替されたレンズを設定された訓練時間の間、使用者の視線に露出する訓練過程を繰り返す。レンズが交替される交替方式は制御部（８００）によって設定された方式で自動で交替されたりまたは使用者入力部（７００）を通じて使用者が直接設定して交替することができる。交替方式は訓練開始レンズを設定した後、そのレンズを基準に時計方向または半時計方向に順次的に交替する順次交替方式または一つのレンズと隣接した一対のレンズの間を往復して交替する往復交替方式等に設定されることができる。
【００６０】
一番目のレンズに対する訓練時間中に該当レンズに対して適応したことを確認する適応確認入力があり得る（Ｓ２７０）。このような適応確認入力は前述したように、使用者入力部（７００）を通じて入力されたりまたはセンサモジュール（１１００）を通じて選択的に入力されることができる。適応確認入力が入力された場合は訓練時間が満了する前に使用者の調節筋が該当レンズに適応を完了した場合である。これは訓練の効果等によって使用者の視力がそのレンズに対して早期に適応をするようになったことを意味する。この場合には、その適応時間を保存して（Ｓ２８０）使用者の訓練効果を評価する一方。次の訓練時間を設定する時、その適応時間を反映する。
【００６１】
レンズの交替方式及び交替されるレンズの範囲は制御部（８００）によって自動で設定されたりまたは使用者が直接設定することができる。
【００６２】
交替方式は訓練開始レンズを設定した後、そのレンズを基準に時計方向または半時計方向に順次的に交替する順次交替方式または一つのレンズと隣接した一対のレンズの間を往復して交替する往復交替方式等に設定されることができる。
【００６３】
また、交替されるレンズの範囲は一般的な場合には制御部（８００）によって全てのレンズが選択されるはずであるが、使用者が使用者入力部（７００）を通じて任意のレンズを直接選択して設定されることができる。
【００６４】
前述した訓練動作の繰り返しを通じて使用者の水晶体調節筋が弛緩と収縮を繰り返して結果的に水晶体調節筋の筋力が強化されて使用者の視力が改善されることができる。
【００６５】
また、本発明の実施例による視力訓練装置は測定モードを通じて使用者の各レンズに対する適応度を測定して測定された適応度に基づいて訓練条件を設定して訓練動作を行うパーソナライズ型視力訓練を提供することによって、視力訓練を通じた視力改善効果を極大化することができる。
【００６６】
前述した実施例で本発明の視力訓練装置のレンズ支持体が円形であって回転を通じてレンズを変更するものと図示されたが、レンズが直列に配置されてスライディング方式でレンズを変更するものと具現されることができる。図７はスライディング方式で具現されたレンズ支持体を示す正面図である。
【００６７】
スライディング方式のレンズ組立体（４００'）は駆動モータの間歇的作動によって一対のレンズ支持体（４６０ａ）が横方向に沿って移動されるようにする。図７でレンズ支持体（４６０ａ）が横方向に沿って移動されるものと図示されたが、レンズ支持体（４６０ａ）は縦方向に沿って移動されるものと具現されることもできる。
【００６８】
レンズ組立体（４００'）はレンズ交替駆動部（４８０）と、レンズ交替駆動部（４８０）の上下に配置されるラック移動部（４７０ａ）を含む。ラック移動部（４７０ａ）は横方向に長く延長された筐体と、筐体からレンズ交替駆動部（４８０）側に突出形成されてレンズ交替駆動部（４８０）と噛み合う歯形を有する。これにより、一対のラック移動部（４７０ａ）はレンズ交替駆動部（４８０）の時計方向の回転によって互いに遠くなったり、または反時計方向の回転によって互いに近くなることができる。
【００６９】
そしてラック移動部（４７０ａ）の自由端部側にはレンズ支持体（４６０ａ）が脱着可能に結合される。レンズ支持体（４６０ａ）はラック移動部（４７０）の長手方向に沿って延長された形態を有し、長手方向に沿って複数のレンズ（４６１ａ）が並んで取り付けられる。レンズ（４６１ａ）はレンズ支持体（４６０ａ）に脱着可能に取り付けられる。
【００７０】
ラック移動部（４７０ａ）には本体（１００）の内部に横方向に沿って移動可能に支持されることができるようにする切開部（４７１ａ）が形成される。切開部（４７１ａ）はラック移動部（４７０ａ）の筐体の長手方向に沿って長く延長されて形成され、切開部（４７１ａ）には複数の支持ローラ（４７３ａ）が挿入される。支持ローラ（４７３ａ）は本体（１００）に固定設置され、切開部（４７１ａ）に挿入されてラック移動部（４７０ａ）を移動可能に支持する。
【００７１】
このような構造により、スライド方式のレンズ組立体（４００'）はレンズ交替駆動部（４８０）の回転方向によってレンズ支持体（４６０ａ）を互いに接近させたり互いに離隔させることができる。レンズ支持体（４６０ａ）の相互接近及び離隔によって、使用者の視線方向の前方に位置するレンズ（４６１ａ）が変更されて、使用者の毛様体筋を強化することができる。
【００７２】
前述したリボルバー式レンズ組立体（４００）及びスライド方式のレンズ組立体（４００'）は設計によって多様な形態に変更されることができるものであるが、概念的には前述した内容を外れないはずである。
本願によれば、以下の各項目もまた開示される。
［項目１］
視力訓練装置において、
使用者の眼球に対応する少なくとも一つの接眼孔を有する本体と；
互いに異なるジオプターを有する複数のレンズと、前記レンズが相互間隔を隔てて支持されて前記レンズのうちいずれか一つが前記接眼孔からの視線方向内に配置されるように前記本体に対して移動可能に設置されたレンズ支持体を有する少なくとも一つのレンズユニットと；
前記レンズ支持体を移動させる駆動モータと；
使用者入力部と；
前記駆動モータを制御して前記複数のレンズの中で選択されたテストレンズが前記視線方向内に配置されるようにし、前記テストレンズに対して前記眼球が正視眼状態になる時までの適応時間を保存する制御部を含む視力訓練装置。
［項目２］
前記レンズ支持体は前記本体に対して回転軸を中心に回転可能に設置され、前記レンズは前記レンズ支持体に円周方向に沿って角度間隔を隔てて支持されることを特徴とする項目１に記載の視力訓練装置。
［項目３］
前記制御部は前記使用者入力部を通じて入力された適応確認入力に基づいて前記テストレンズに対する使用者の適応時間を保存することを特徴とする項目１に記載の視力訓練装置。
［項目４］
前記使用者の眼球の正視眼状態を検出するためのセンサモジュールをさらに含み、
前記制御部は前記センサモジュールを通じて入力される適応確認入力に基づいて前記テストレンズに対する使用者の適応時間を保存することを特徴とする項目１に記載の視力訓練装置。
［項目５］
前記複数のレンズはそれぞれ所定のジオプター間隔を隔てて段階的に変化するジオプター値を有し、
前記制御部は前記各レンズに対して隣接レンズからジオプター上向き移動時の適応時間とジオプター下向き移動時の適応時間を測定して保存することを特徴とする項目１に記載の視力訓練装置。
［項目６］
前記使用者入力部は訓練モード選択部を有し、
前記制御部は保存された適応時間を反映した前記各レンズ当り訓練時間を設定し、前記使用者入力部を通じて訓練モードが選択された場合、各レンズに対応する訓練時間だけ該当レンズを使用者の視線に露出させることを特徴とする項目１に記載の視力訓練装置。
［項目７］
前記訓練モードは前記複数のレンズに対してそれぞれの訓練時間の間、使用者の視線に露出した後レンズを変更することを特徴とする項目６に記載の視力訓練装置。
［項目８］
前記訓練モードで動作中、前記使用者入力部を通じて適応確認入力に入力される場合、該当レンズに対する使用者の適応時間を保存することを特徴とする項目６に記載の視力訓練装置。
【図１】
0006933353.tif 000002
【図２】
0006933353.tif 000003
【図３】
0006933353.tif 000004
【図４】
0006933353.tif 000005
【図５】
0006933353.tif 000006
【図６】
0006933353.tif 000007
【図７】
0006933353.tif 000008